(57)【要約】【課題】文字入力の操作性を向上させることができる文字入力支援装置を提供する。【解決手段】キーの操作により指定した文字の入力を支援する携帯電話端末であって、前記キーが操作されている時間の計測を行うタイマ２と、計測した時間が所定値を越えた場合に、前記キーにより指定した文字に長音記号を付加する制御部３とを備える。【選択図】  図１
2006085421.tif 000002
【特許請求の範囲】
【請求項１】
キーの操作により指定した文字の入力を支援する文字入力支援装置であって、
前記キーが操作されている時間の計測を行う計時手段と、
計測した時間が所定値を越えた場合に、前記キーにより指定した文字に記号を付加する記号付加手段と、
を備える文字入力支援装置。
【請求項２】
請求項１記載の文字入力支援装置であって、
前記記号は、長音記号である文字入力支援装置。
【請求項３】
請求項１記載の文字入力支援装置であって、
前記記号は、ハイフンである文字入力支援装置。
【請求項４】
請求項１記載の文字入力支援装置であって、
前記記号は、読点、句点、ピリオド及びカンマのいずれかである文字入力支援装置。
【請求項５】
請求項１ないし４のいずれか一項記載の文字入力支援装置であって、
前記キーは、ボタンスイッチ又はタッチスイッチである文字入力支援装置。
【請求項６】
キーの操作により指定した文字の入力を支援する文字入力支援方法であって、
前記キーが操作されている時間の計測を行い、
計測した時間が所定値を越えた場合に、前記キーにより指定した文字に記号を付加する文字入力支援方法。
【発明の詳細な説明】
【技術分野】
【０００１】
本発明は、文字入力を支援する文字入力支援装置に関する。
【背景技術】
【０００２】
電話帳機能やＥメール通信機能を持つ携帯端末では、電話番号を入力するための入力キー(以下、キーと略称する)に文字入力機能をも持たせている。例えば、連打方式と呼ばれる文字入力方法では、かなを入力するために、「１」〜「０」のキーに「あ」行、「か」行、「さ」行、・・・「ら」行、「わ」行の５０音を割り当てている。
そして、例えば「あ」行に設定されたキーでは、一回押すと「あ」、二回押すと「い」、三回押すと「う」、四回押すと「え」、五回押すと「お」のひらがなが入力されるように構成されていた(例えば、特許文献１参照)。
【０００３】
また、このほか、あらかじめ文字に対して数字２桁のコードを割り当てておき、数字が印字されたキーを２回押下した時点で、押下されたキーに該当する２桁の数字をコードとして認識し、所望の文字を判別するコード表方式がある。
【０００４】
また、例えば「か」行のキーの押下に続いて「い」段のキーを押下すると、か行い段の「き」という具合に、押下されたキーを五十音の行の指定と段の指定として認識し、所望の文字を判別する五十音表方式がある(例えば、特許文献２参照)。
【０００５】
さらに、アルファベットが印刷されたキーの一連の操作を検出し、一連の操作から該当する一連のアルファベットを認識し、これをローマ字綴りと照合することにより、所望のかな文字またはかな文字列を判別するローマ字方式がある(例えば、特許文献３参照)。
【０００６】
また、例えば「は」行のキー、「た」行のキー、「ま」行のキー、「あ」行のキーの順に各キーを押下すると、「は」行のいずれかの文字、「た」行のいずれかの文字、「ま」行のいずれかの文字、「あ」行のいずれかの文字の順に４文字を並べる組み合わせのうち、単語として成り立つ「はつめい」または「ひとまえ」という具合に、押下されたキーの順と回数から所望の文字列を判別する辞書方式がある(例えば、特許文献４参照)。
【０００７】
このように、いずれかの入力キーの操作を検出して所望の入力文字を判別し、表示する方法を採用すれば、携帯電話端末や小型ゲーム機などのように入力用のキーの設置個数に制約がある場合での、全てのかな文字の入力が可能になる。
【０００８】
【特許文献１】特開昭５８‐５２７２２号公報
【特許文献２】特開平５‐２９８２６２号公報
【特許文献３】特開平１０‐２０７６０１号公報
【特許文献４】２００１‐３４３９４号公報
【発明の開示】
【発明が解決しようとする課題】
【０００９】
しかしながら、従来のかな文字入力装置では連打方式等の採用によって、入力キーの設置個数、操作回数が少なくなるものの、「わー」等の長音記号「ー」を含む表現を入力する場合、前記各方式に従って、かな文字「わ」を入力した後、長音記号「ー」を入力する必要がある。すなわち、音としては一音である表現を入力する際であっても、２度の入力操作を行う必要があり、操作が煩わしい場合がある。
【００１０】
本発明は、上記事情に鑑みてなされたものであって、文字入力の操作性を向上させることができる文字入力支援装置を提供することを目的とする。
【課題を解決するための手段】
【００１１】
本発明の文字入力支援装置は、キーの操作により指定した文字の入力を支援する文字入力支援装置であって、前記キーが操作されている時間の計測を行う計時手段と、計測した時間が所定値を越えた場合に、前記キーにより指定した文字に記号を付加する記号付加手段と、を備える。上記構成によれば、計測した時間が所定値を越えた場合に、前記キーにより指定した文字に記号を付加する記号付加手段を備えることにより、１回の操作で、指定した文字及び記号の２文字を入力することができる為、記号を入力するためだけの操作を行う必要がなくなり、文字入力の操作性を向上させることができる。
【００１２】
また、本発明の文字入力支援装置は、前記記号が、長音記号である。上記構成によれば、「長く伸ばす音を入力するためにはキーを長い時間操作する」と容易に連想できる為、ユーザは、この文字入力支援機能を容易に使用することができる。
【００１３】
また、本発明の文字入力支援装置は、前記記号が、ハイフンである。上記構成によれば、ハイフンを入力するためだけの操作を行う必要がなくなる為、文字入力の操作性を向上させることができる。
【００１４】
また、本発明の文字入力支援装置は、前記記号が、読点、句点、ピリオド及びカンマのいずれかである。上記構成によれば、読点、句点、ピリオド及びカンマのいずれかを入力するためだけの操作を行う必要がなくなる為、文字入力の操作性を向上させることができる。
【００１５】
また、本発明の文字入力支援装置は、前記キーが、ボタンスイッチ又はタッチスイッチである。
【００１６】
さらに、本発明の文字入力支援方法は、キーの操作により指定した文字の入力を支援する文字入力支援方法であって、前記キーが操作されている時間の計測を行い、計測した時間が所定値を越えた場合に、前記キーにより指定した文字に記号を付加するものである。
【発明の効果】
【００１７】
本発明によれば、計測した時間が所定値を越えた場合に、前記キーにより指定した文字に記号を付加する記号付加手段を備えることにより、１回の操作で、指定した文字及び記号の２文字を入力することができる為、記号を入力するためだけの操作を行う必要がなくなり、文字入力の操作性を向上させることができる。
【発明を実施するための最良の形態】
【００１８】
以下、本発明を実施するための最良の形態について、図面を参照しながら説明する。
【００１９】
(実施の形態１)
図１は、本発明の一実施形態を説明するためのかな文字入力装置の概略構成を示すブロック図であり、図２は、このかな文字入力装置を備えた携帯電話端末の外観を示す正面図である。かな文字入力装置は、ボタンスイッチで構成されたキーの操作により指定した文字の入力を支援するものである。ここでは、連打方式の文字入力装置を例に説明する。
【００２０】
図１に示すように、かな文字入力装置は、操作部１と、タイマ２と、制御部３と、表示部４とを備える。操作部１は、入力する文字を指定するためのキーである。タイマ２は、キーが操作されている時間の計測を行う。制御部３は、計測した時間が所定値を越えた場合に、キーにより指定した文字に記号を付加する。表示部４は、キーにより指定した文字及び付加した記号を表示する。
【００２１】
操作部１は、図２に示す携帯電話端末５の正面に配置された入力キーｋ１〜ｋ１３を含む。図３に文字入力に連打方式を採用した場合の、キーｋ１〜ｋ１３に割り当てられたキーの名称(または機能)を示す説明図を示す。これらの入力キーのうち、入力キーｋ１〜ｋ１１はかな文字の入力キーである。入力キーｋ１〜ｋ９およびｋ１１はかなの「あ」行キー〜「わ」行キーに相当し、数字「１」キー〜「９」キー、「０」キーとしても併用される。また、キーｋ１０は、濁音・半濁音キーであり、「＊」キーとしても併用される。キーｋ１２は、「♯」キーである。また、キーｋ１３は、ひらがなを漢字に変換する漢字変換等の変換キーである。
【００２２】
タイマ２は、キーが操作されている時間の計測を行う。タイマ２は、キーの押下により起動され、計測した時間が所定値を越えた場合、計時を停止する。
【００２３】
制御部３は、計測した時間が所定値を越えた場合に、前記キーにより指定した文字に記号を付加する。制御部３は押下されたキーの押下回数に応じたかな文字を入力文字の候補として保持し、計測した時間が所定値を越えた場合に、入力中の文字列に対し、保持しておいた文字に長音記号「ー」を付加して長音文字列（「あー」等）を形成する。表示部４は、制御部３で得られた長音記号や長音文字列などを表示する。
【００２４】
次に、このかな文字入力装置による長音文字列の入力手順を、図４のフローチャートを参照しながら説明する。まず、入力中の文字列及び入力文字の候補を空にする(ステップＳ１１)。制御部３ではキーの押下があったか否かを調べ(ステップＳ１２)、キーの押下があった場合には、タイマ２を起動する(ステップＳ１３)。
【００２５】
また、前記キーの押下が初めてのキー操作であるか否かを調べ(ステップＳ１４)、初めてでない場合には、押下したキーが前回押下したキーと同じか否かを調べる(ステップＳ１５)。前回押下したキーと同じでない場合には、入力中の文字列に、キーの押下により入力した文字の候補として保持しておいた文字を付加する(ステップＳ１６)。ステップＳ１５で前回押下したキーと同じであると判断された場合、またはステップＳ１４で初めてのキーの押下であると判断された場合には、今回押下されたキーの押下回数に対応する文字を入力文字の候補として保持する(ステップＳ１７)。
【００２６】
ここで、前記キーの押下によって起動されたタイマ２が計測した時間が所定値を越えた場合には(ステップＳ１８)、ステップＳ１９に進む。そして、タイマ２の停止(ステップＳ１９)に続いて、入力中の文字列に対して入力文字の候補として保持しておいた文字と長音記号「ー」とを付加した後(ステップＳ２０)、入力文字の候補を空にして(ステップＳ２１)、ステップＳ１２以下の処理に戻る。
【００２７】
一方、ステップＳ１８で入力文字の候補を保持した場合に、タイマ２が計測した時間が所定値を越えていない場合には、キーの押下状態が解除されたか否かを調べ(ステップＳ２２)、解除された場合にはタイマ２を停止し(ステップＳ２３)、次のキーの押下によるステップＳ１２以下の処理に戻る。
【００２８】
このように、キーの押下時間が所定時間よりも長い場合、前記押下により保持しておいた文字とともにこれに続けて長音記号「ー」を付加して、長音文字列を形成する。これにより、ユーザは、長音記号の入力のためにキーの押下回数が増えるというキー操作上の煩わしさから開放される為、文字入力の操作性が向上する。
【００２９】
図５は、前記のような長音文字列入力時の表示例を示す説明図である。ここでは、入力文字の候補がない状態(画面Ｄ１)から「か」行キーを押下して「か」を表示する(画面Ｄ２)。続いて「ら」行キーを押下したままで計測した時間が所定値を越えると、入力中の文字列「か」にかな文字「ら」(画面Ｄ３)と長音記号「−」が順次付加されて「からー」が入力される(画面Ｄ４)。
【００３０】
図６は、タイマ２の計測した時間が所定値を越えるごとに長音記号を付加する例を示す。まず、入力文字の候補がない状態(画面Ｄ１１)から「か」行キーを押下及び開放することにより「か」が入力される(画面Ｄ１２)。続いて「ら」行キーを押下して「ら」を表示させたままで(画面Ｄ１３)計測した時間が所定値を越えた後再び時間計測を開始した場合、計測した時間が所定値を越える毎に長音記号「ー」を入力文字列に付加し入力される(画面Ｄ１４)。つまり、「ら」行キーを開放するまで、計測した時間が所定値を越える毎に長音記号が順次付加および表示される(画面Ｄ１５、Ｄ１６)。そして、「ら」行キーを解放すると、画面Ｄ１７のような文字列が確定する。
【００３１】
(実施の形態２)
次に、コード表方式のかな文字入力装置について説明する。このかな文字入力装置の構成は、基本的に図１に示すものと同様であるが、制御部３の機能が前述したものとは異なる。図７は、コード表方式を採用した場合の、キーｋ１〜ｋ１３に割り当てられたキーの名称(または機能)を示す図である。制御部３は、２回の数字キーの押下を二桁のコードとみなし、二桁のコードに対応する文字を入力中の文字列に付加する。そして、制御部３は、計測した時間が所定値を越えた場合に、前記二桁のコードに対応する文字に対し、長音記号を付加する。
【００３２】
このようなコード表方式による長音文字列の入力手順を、図８に示すフローチャートを参照しながら説明する。まず、入力中の文字列を空にする(ステップＳ３１)。制御部３は、一回目のキーの押下があったか否かを調べ(ステップＳ３２)、一回目のキーの押下があった場合には、キーに対応する数字を一桁目として保持する(ステップＳ３３)。
【００３３】
続いて、二回目のキーの押下があったか否かを調べて(ステップＳ３４)、二回目のキーの押下があった場合には、タイマ２を起動する(ステップＳ３５)。そして、二回目のキーの押下があった数字を二桁目として保持する(ステップＳ３６)。さらにこれら二桁のコードに対応する文字に変換して、入力中の文字列に付加する(ステップＳ３７)。
【００３４】
二桁目の数字のキーの押下後、計測した時間が所定値を越えた場合には(ステップＳ３８)、タイマ２を停止し(ステップＳ３９)、入力中の文字列に長音記号「ー」を付加する(ステップＳ４０)。以後ステップＳ３２以下の処理に戻る。一方、まだ計測した時間が所定値を越えていない場合には、キーの押下が解除されているか否かを調べ(ステップＳ４１)、解除されている場合には、タイマ２を停止して(ステップＳ４２)、ステップＳ３２以下の処理を繰返す。
【００３５】
このように、二桁目の数字キーの押下時間が所定時間よりも長い場合、押下により指定した文字に続けて長音記号「ー」を付加する。これにより、ユーザは、長音記号の入力のためにキーの押下回数が増えるという煩わしさから開放される。
【００３６】
(実施の形態３)
次に、ローマ字方式のかな文字入力装置について説明する。このかな文字入力装置の構成は、基本的に図１に示すものと同様であるが、制御部３の機能が前述したものと異なる。図９は、このローマ字方式を採用した場合の、キーｋ１〜ｋ１３に割り当てられたキーの名称(または機能)を示す図である。制御部３は、子音キー又は母音キーにそれぞれ対応する子音文字又は母音文字を保持する。また、制御部３は、入力中の文字列に対し、入力キーの押下時に保持しておいた子音及び母音に対応するかな文字を付加する。一方、母音キーの押下時間が諸提示を越えた場合に、前記かな文字に対し、長音記号を付加する。
【００３７】
このようなローマ字方式による長音文字列の入力手順を、図１０に示すフローチャートを参照しながら説明する。まず、入力中の文字列を空にする(ステップＳ５１)。制御部３は、キーの押下があったか否かを調べ(ステップＳ５２)、キーの押下があった場合には、その押下されたキーが母音キーか否かを調べる(ステップＳ５３)。母音キーである場合には、タイマ２を起動する(ステップＳ５４)。
【００３８】
一方、ステップＳ５３で押下されたキーが母音キーでない場合には、その押下されたキーと押下回数に応じた子音を保持し(ステップＳ５５)、再びステップＳ５２以下の処理に戻る。タイマ２が起動した後は、押下されたキーに対応する母音を保持し(ステップＳ５６)、続いて入力中の文字列に対して、保持しておいた前記子音及び母音に対応するかな文字を付加する(ステップＳ５７)。
【００３９】
このようにして、母音キーの押下後、計測した時間が所定値を越えた場合には(ステップＳ５８)、タイマ２を停止し(ステップＳ５９)、入力中の文字列に長音記号「ー」を付加し(ステップＳ６０)、以後ステップＳ５２以下の処理に戻る。
【００４０】
一方、計測した時間が所定値を越えていない場合には、キーが解除されているか否かを調べる(ステップＳ６１)。そして、キーが解除されている場合には、タイマ２を停止して(ステップＳ６２)、ステップＳ５２以下の処理を繰返す。
【００４１】
このように、母音キーの押下時間が所定値を越えた場合に、押下により指定した文字に続けて長音記号「ー」を付加する。これにより、ユーザは、長音記号の入力のためにキーの押下回数が増えるという煩わしさから開放される。
【００４２】
(実施の形態４)
次に、五十音方式のかな文字入力装置について説明する。このかな文字入力装置の構成は、基本的に図１に示すものと同様であるが、制御部３の機能が前述したものと異なる。  図１１は、この五十音表方式を採用した場合のキーｋ１〜ｋ１３に割り当てられたキーの名称(または機能)を示す図である。この制御部３は、前記各キーの押下により指定された五十音表の行及び段に対応するかな文字を、入力中の文字列に付加する。そして、制御部３は、段に対応するキーの押下時間が所定値を越えた場合に、前記かな文字に対し、長音記号を付加する。
【００４３】
このような五十音表方式による長音文字列の入力手順を、図１２に示すフローチャートを参照しながら説明する。まず、入力中の文字列を空にする(ステップＳ７１)。制御部３は、キーの押下があったか否かを調べ(ステップＳ７２)、キーの押下があった場合には、そのキーに対応する五十音表の行の文字を保持する(ステップＳ７３)。
【００４４】
次に、五十音表の段の文字のキーが押下されたか否かを調べ(ステップＳ７４)、このキーの押下があった場合には、タイマ２を起動する(ステップＳ７５)。タイマ２の起動に続いて、押下したキーに対応する五十音表の段の文字を保持する(ステップＳ７６)。そして、入力中の文字列に保持しておいた五十音表の前記行と段の文字に対応する文字を付加する(ステップＳ７７)。
【００４５】
そして、計測した時間が所定値を越えた場合には(ステップＳ７８)、タイマ２を停止する(ステップＳ７９)。そして、入力中の文字列に長音記号「ー」を付加し(ステップＳ８０)、以後ステップＳ７２以下の処理に戻る。一方、計測した時間が所定値を越えていない場合には、キー押下が解除されているか否かを調べ(ステップＳ８１)、解除されている場合には、タイマ２を停止して(ステップＳ８２)、ステップＳ７２以下の処理を繰返す。
【００４６】
このように、五十音表の段の文字のキーの押下時間が所定時間よりも長い場合、押下により指定した文字に続けて長音記号「ー」を付加する。これにより、ユーザは、長音記号の入力のためにキーの押下回数が増えるという煩わしさから開放される。
【００４７】
(実施の形態５)
次に、辞書方式のかな文字入力装置について説明する。このかな文字入力装置の構成は、基本的に図１に示すものと同様であるが、制御部３の機能が前述したものと異なる。図１３は、この辞書方式を採用した場合のキーｋ１〜ｋ１３に割り当てられたキーの名称(または機能)を示す図である。また、図１４は、本発明に適用する場合の辞書の構造を示す説明図である。
【００４８】
制御部３は、押下された入力キーの順(シーケンス)と文字数(シーケンスの長さ)を認識する。そして、制御部３は、シーケンスとシーケンスの長さを辞書変換し、入力文字列の候補として保持する。制御部３は、入力キーの押下時間が所定値を越えた場合に、保持されたシーケンスに長音記号を付加する。次に制御部３は、長音記号を付加したシーケンスを辞書変換した入力文字列の候補として保持する。そして、確定キーが押下されたとき、制御部３は、入力文字列の候補として保持していた文字列を、入力中の文字列に付加する。
【００４９】
このような辞書方式による長音文字列の入力手順を、図１５に示すフローチャートを参照しながら説明する。まず、入力中の文字列及び一時的に生成される文字列であるシーケンスを空にする(ステップＳ９１)。制御部３は、キーの押下があったか否かを調べ(ステップＳ９２)、さらにそのキーに対応する文字が確定されたか否かを調べる(ステップＳ９３)。
【００５０】
文字が確定されていない場合にはタイマ２を起動し(ステップＳ９４)、確定している場合には、入力中の文字列に、後述の入力文字列候補として、保持されている文字列を付加する(ステップＳ９５)。また、シーケンスを空にして、ステップＳ９２以下の処理に戻る(ステップＳ９６)。
【００５１】
一方、キーに対応する文字が確定されないで、ステップＳ９４でタイマ２が起動された場合には、入力キーに対応する五十音表の行をシーケンス末尾に付加する(ステップＳ９７)。そして、辞書からシーケンスに対応する文字列を検索し、見つかった文字列を入力文字列候補として保持する(ステップＳ９８)。
【００５２】
タイマ２が計測した時間が所定値を越えた場合には(ステップＳ９９)、タイマ２は停止され(ステップＳ１００)、長音記号「ー」をシーケンス末尾に付加する(ステップＳ１０１)。そして、辞書からシーケンスに対応する文字を検索し、見つかった文字列を入力文字列候補として保持し(ステップＳ１０２)、ステップＳ９２以下の処理を実行する。一方、計測した時間が所定値を越えていない場合には、キー押下が解除されているか否かを調べる(ステップＳ１０３)。解除されている場合には、タイマ２を停止して(ステップＳ１０４)、ステップＳ９２以下の処理を繰返す。
【００５３】
このように、キーの押下時間が所定時間よりも長い場合、シーケンスに長音記号「ー」を付加し辞書変換する。これにより、ユーザは、長音記号の入力のためにキーの押下回数が増えるという煩わしさから開放される。
【００５４】
上述したかな文字入力装置によれば、計測したキー押下時間が所定値を越えた場合に、キーにより指定した文字に長音記号を付加することにより、１回の操作で、指定した文字及び長音記号の２文字を入力することができる為、長音記号を入力するためだけの操作を行う必要がなくなり、文字入力の操作性を向上させることができる。
【００５５】
また、「長く伸ばす音を入力するためにはキーを長い時間操作する」と容易に連想できる為、ユーザは、この文字入力支援機能を容易に使用することができる。
【００５６】
なお、上記説明では、かな文字を入力する際、キー押下時間が所定値を越えた場合に、長音記号を付加する例を示したが、長音記号以外に読点、句点、ピリオド及びカンマのいずれかを付加してもよい。また、かな文字以外のアルファベット等を入力する際、ハイフン「−」を付加してもよい。キー押下時間が所定値を越えた場合に、入力する文字に上記のような記号を付加することにより、入力する文字とその文字との関連が強い記号とを１回の操作で入力することができる為、文字入力の操作性を向上させることができる。
【００５７】
また、上記説明では、ボタンスイッチで構成されたキーの押下により文字を入力する例を示したが、キーをタッチスイッチで構成し、キーに接触することにより文字を入力してもよい。
【産業上の利用可能性】
【００５８】
本発明は、計測した時間が所定値を越えた場合に、前記キーにより指定した文字に記号を付加する記号付加手段を備えることにより、１回の操作で、指定した文字及び記号の２文字を入力することができる為、記号を入力するためだけの操作を行う必要がなくなり、文字入力の操作性を向上させることができる効果を有し、文字入力を支援する文字入力支援装置等に有用である。
【図面の簡単な説明】
【００５９】
【図１】本発明の実施の形態１を説明するためのかな文字入力装置の概略構成を示すブロック図
【図２】本発明の連打方式のかな文字入力装置を持つ携帯電話端末を示す正面図
【図３】本実施形態の連打方式のかな文字入力装置におけるキーの名称と配置を示す説明図
【図４】本実施形態による長音文字列の入力手順を示すフローチャート
【図５】本実施形態による長音文字列形成手順の表示例を示す説明図
【図６】本実施形態による長音文字列形成手順の他の表示例を示す説明図
【図７】実施の形態２のコード方式のかな文字入力装置におけるキーの名称と配置を示す説明図
【図８】本実施形態による長音文字列の他の入力手順を示すフローチャート
【図９】実施の形態３のローマ字方式のかな文字入力装置におけるキーの名称と配置を示す説明図
【図１０】本実施形態による長音文字列の他の入力手順を示すフローチャート
【図１１】実施の形態４の五十音方式のかな文字入力装置におけるキーの名称と配置を示す説明図
【図１２】本実施形態による長音文字列の他の入力手順を示すフローチャート
【図１３】実施の形態５の辞書方式のかな文字入力装置におけるキーの名称と配置を示す説明図
【図１４】本実施形態における辞書方式の辞書の構造を示す説明図
【図１５】本実施形態による長音文字列の他の入力手順を示すフローチャート
【符号の説明】
【００６０】
１  操作部
２  タイマ
３  制御部
４  表示部
５  携帯電話端末
【図１】
2006085421.tif 000003
【図２】
2006085421.tif 000004
【図３】
2006085421.tif 000005
【図４】
2006085421.tif 000006
【図５】
2006085421.tif 000007
【図６】
2006085421.tif 000008
【図７】
2006085421.tif 000009
【図８】
2006085421.tif 000010
【図９】
2006085421.tif 000011
【図１０】
2006085421.tif 000012
【図１１】
2006085421.tif 000013
【図１２】
2006085421.tif 000014
【図１３】
2006085421.tif 000015
【図１４】
2006085421.tif 000016
【図１５】
2006085421.tif 000017